(57)【要約】【課題】所望のカラオケ演奏曲を簡単且つ速やかに検索できるようにしたオリジナル早見本を使用可能な携帯電話機、および携帯端末機用オリジナル早見本情報提供装置を提供する。【解決手段】サーバ２０へ送信された絞込条件に基づいてそのサーバ２０で総合早見本データベースから選択された早見本データが携帯電話機１２のオリジナル早見本受信手段１１８により受信され、その受信された早見本データに基づいて作成されたオリジナル早見本データベースが記憶部５０に記憶されることから、カラオケ演奏曲を選択するために携帯電話機１２において検索条件が入力されると、それに記憶されたオリジナル早見本からその検索条件に対応するカラオケ演奏曲が検索されるので、所定の携帯電話機１２の所有者は、そのオリジナル早見本を用いて、所望のカラオケ演奏曲を簡単且つ速やかに検索できるようになる。【選択図】図７
2008178093.tif 000002
【特許請求の範囲】
【請求項１】
所定の携帯端末機からの絞込条件に基づくオリジナル早見本を該所定の携帯端末機に通信回線を介して提供するための携帯端末機のオリジナル早見本情報提供装置であって、
前記携帯端末機からの絞込条件に基づいて予め記憶された総合早見本データベースから選択されたオリジナル早見本データベースを作成するためのデータを該携帯端末機へ送信する早見本データ送信手段と、
前記早見本データ送信手段による前記携帯端末機への早見本データの送信に関連して該携帯端末機の所有者に利用料金を課金する第１課金手段と
を、含むことを特徴とする携帯端末機のオリジナル早見本情報提供装置。
【請求項２】
前記総合早見本データベースに新たに登録された最新情報のうちから前記絞込条件を備えている最新情報の早見本データを抽出する抽出手段と、
該抽出手段により抽出された最新情報の早見本データを前記携帯端末機へ送信する最新情報データ送信手段と
を、さらに含むものである請求項１の携帯端末機のオリジナル早見本情報提供装置。  
【請求項３】
前記最新情報データ送信手段により、前記最新情報の早見本データが前記携帯端末機へ送信された場合には、該送信に関連して該携帯端末機の所有者へ課金を行う第２課金手段を、さらに含むものである請求項２の携帯端末機のオリジナル早見本情報提供装置。
【請求項４】
所定の携帯端末機からの絞込条件に基づくオリジナル早見本を該所定の携帯端末機に通信回線を介して提供するための携帯端末機のオリジナル早見本情報提供装置であって、
多数の提供情報が予め記憶された総合早見本データベースから前記所定の携帯端末機から要求された絞込条件に基づいてオリジナル早見本を作成するオリジナル早見本作成手段と、
該オリジナル早見本作成手段により作成されたオリジナル早見本データを前記所定の携帯端末機に送信するオリジナル早見本データ送信手段と、
前記オリジナル早見本データ送信手段による前記携帯端末機へのオリジナル早見本データの送信に関連して該携帯端末機の所有者に利用料金を課金する第１課金手段と
を、含むことを特徴とする携帯端末機のオリジナル早見本情報提供装置。
【請求項５】
前記オリジナル早見本作成手段は、前記総合早見本データベースに新たに登録された最新情報のうちから前記絞込条件を備えている最新情報の早見本データを追加してオリジナル早見本を更新するものであり、
前記オリジナル早見本データ送信手段は、該オリジナル早見本作成手段により更新された最新情報のオリジナル早見本データを前記携帯端末機へ送信するものである請求項４の携帯端末機のオリジナル早見本情報提供装置。
【請求項６】
前記最新情報のオリジナル早見本データが前記携帯端末機へ送信された場合には、該送信に関連して該携帯端末機の所有者へ課金を行う第２課金手段を、さらに含むものである請求項５の携帯端末機のオリジナル早見本情報提供装置。
【発明の詳細な説明】
【技術分野】
【０００１】
本発明は、例えば演奏装置に演奏曲を予約するに際して便利なように、個人の好みに応じて選択された固有のオリジナル演奏曲早見本を使用可能とした携帯端末機用オリジナル早見本情報提供装置に関するものである。
【背景技術】
【０００２】
例えば、カラオケボックス等で使用される一般的なカラオケ装置においては、演奏曲を選曲する場合、総合カラオケ演奏曲早見本を用いて所望のカラオケ演奏曲を探し出し、そのカラオケ演奏曲に対応する選曲番号を、カラオケ装置本体にある操作パネル或いはリモコンなどの入力装置から入力するようになっている。通常、その総合カラオケ演奏曲早見本には、顧客が目的のカラオケ演奏曲を探しやすいようにするために、曲名順のリストだけでなく、歌手別のリストも掲載され、場合によっては、ジャンル別のリストや新譜のみのリストなども掲載されている。
【発明の開示】
【発明が解決しようとする課題】
【０００３】
しかしながら、上記総合カラオケ演奏曲早見本では、入曲数の増加に比例して重さ、厚さだけでなく、所定の顧客から見れば好みではない曲も増加することから、所望の曲の検索が面倒となる不都合がますます増加することは避けられない。また、上記総合カラオケ演奏曲早見本は所定の期間にたとえば数ケ月毎に発刊されるのが普通であるが、その発刊の間において入曲したカラオケ演奏曲を効果的に顧客に報知することが困難であった。
【０００４】
本発明は以上の事情を背景として為されたものであり、その目的とするところは、所望の提供情報を簡単且つ速やかに検索できるようにした携帯端末機用オリジナル早見本情報提供装置を提供することにある。
【課題を解決するための手段】
【０００５】
前記目的を達成するための請求項１に係る発明の要旨とするところは、所定の携帯端末機からの絞込条件に基づくオリジナル早見本をその所定の携帯端末機に通信回線を介して提供するための携帯端末機のオリジナル早見本情報提供装置であって、(ａ) 前記携帯端末機からの絞込条件に基づいて予め記憶された総合早見本データベースから選択されたオリジナル早見本データベースを作成するためのデータをその携帯端末機へ送信するオリジナル早見本データ送信手段と、(ｂ）そのオリジナル早見本データ送信手段による前記携帯端末機へのオリジナル早見本データの送信に関連してその携帯端末機の所有者に利用料金を課金する第１課金手段とを、含むことにある。
【発明の効果】
【０００６】
請求項１に係る発明によれば、オリジナル早見本データ送信手段により、携帯端末機からの絞込条件に基づいて予め記憶された総合早見本データベースから選択されたオリジナル早見本データベースを作成するためのデータがその携帯端末機へ送信されることから、携帯端末機では、その携帯端末機固有のオリジナル早見本が作成されるので、その所定の携帯端末機の所有者は、固有のオリジナル早見本を用いて、所望の提供情報を簡単且つ速やかに検索できるようになる。また、前記オリジナル早見本データ送信手段による前記携帯端末機へのオリジナル早見本データの送信に関連してその携帯端末機の所有者に利用料金を課金する第１課金手段が設けられていることから、携帯端末機において、使い勝手のよいオリジナル早見本データベースが作成される代償としてその携帯端末機の所有者に課金されるので、オリジナル早見本情報提供装置の経済的な運営が可能となる。
【０００７】
ここで、好適には、前記総合早見本データベースに新たに登録された最新情報のうちから前記絞込条件を備えている最新情報の早見本データを抽出する抽出手段と、その抽出手段により抽出された最新情報の早見本データを前記携帯端末機へ送信する最新情報データ送信手段とを、さらに備えたものである。このようにすれば、総合早見本データベースに新たに登録された最新情報のうちから前記絞込条件を備えている最新情報の早見本データが、携帯端末機へ送信されるので、携帯端末機のオリジナル早見本においても最新の提供情報を選択可能となる。
【０００８】
また、好適には、前記最新情報データ送信手段により、前記最新情報の早見本データが前記携帯端末機へ送信された場合には、その送信に関連してその携帯端末機の所有者へ課金を行う第２課金手段が、さらに設けられる。このようにすれば、最新情報の早見本データが携帯端末機へ送信されて、オリジナル早見本データベースが更新される代償としてその携帯端末機の所有者に課金されるので、オリジナル早見本情報提供装置の経済的な運営が可能となる。
【０００９】
前記目的を達成するための請求項４に係る発明の要旨とするところは、所定の携帯端末機からの絞込条件に基づくオリジナル早見本をその所定の携帯端末機に通信回線を介して提供するための携帯端末機のオリジナル早見本情報提供装置であって、(ａ) 多数の提供情報が予め記憶された総合早見本データベースから前記所定の携帯端末機から要求された絞込条件に基づいてオリジナル早見本を作成するオリジナル早見本作成手段と、(ｂ) そのオリジナル早見本作成手段により作成されたオリジナル早見本データを前記所定の携帯端末機へ送信するオリジナル早見本データ送信手段と、(ｃ）そのオリジナル早見本データ送信手段による前記携帯端末機へのオリジナル早見本データの送信に関連してその携帯端末機の所有者に利用料金を課金する第１課金手段とを、含むことにある。
【００１０】
請求項４に係る発明によれば、オリジナル早見本作成手段により作成されたオリジナル早見本が、オリジナル早見本送信手段により、前記所定の携帯端末機にダウンロードさせるためにその所定の携帯端末機へ送信されるので、その所定の携帯電話機の所有者は、固有のオリジナル早見本を用いて、所望の提供情報演奏曲を簡単且つ速やかに検索できるようになる。また、前記オリジナル早見本データ送信手段による前記携帯端末機へのオリジナル早見本データの送信に関連してその携帯端末機の所有者に利用料金を課金する第１課金手段が設けられていることから、携帯端末機において、使い勝手のよいオリジナル早見本データベースが作成される代償としてその携帯端末機の所有者に課金されるので、オリジナル早見本情報提供装置の経済的な運営が可能となる。
【００１１】
ここで、好適には、上記オリジナル早見本作成手段は、総合早見本データベースから前記所定の携帯端末機から要求された絞込条件と所定の携帯端末機の固有ＩＤとに基づいて最新情報のオリジナル早見本を作成して、記憶装置に予め複数種類記憶させるものであり、前記オリジナル早見本送信手段は、携帯端末機からの要求に応答して、その記憶装置に予め記憶された最新情報のオリジナル早見本データを要求元の携帯端末機へ送信するものである。
【００１２】
また、好適には、上記オリジナル早見本作成手段は、携帯端末機からの要求に応答して、総合早見本データベースからその携帯端末機から要求された絞込条件に基づいて最新情報のオリジナル早見本を作成するものであり、前記オリジナル早見本送信手段は、上記オリジナル早見本作成手段によりオリジナル早見本が作成されるとその最新情報のオリジナル早見本データを要求元の携帯端末機へ送信するものである。
【００１３】
また、好適には、前記オリジナル早見本作成手段は、前記総合早見本データベースに新たに登録された最新情報のうちから前記絞込条件を備えている最新情報の早見本データを追加してオリジナル早見本を更新するものであり、前記オリジナル早見本送信手段は、そのオリジナル早見本作成手段により更新された最新情報のオリジナル早見本データを前記携帯端末機へ送信するものである。このようにすれば、オリジナル早見本作成手段により、総合早見本データベースに新たに登録された最新情報のうちから前記絞込条件を備えている最新情報の早見本データを追加してオリジナル早見本が更新されるので、携帯端末機のオリジナル早見本においても最新情報を選択可能となる。
【００１４】
また、好適には、前記最新情報のオリジナル早見本データが前記携帯端末機へ送信された場合には、その送信に関連して該携帯端末機の所有者へ課金を行う第２課金手段が、さらに設けられる。このようにすれば、最新情報の早見本データが携帯端末機へ送信されて、オリジナル早見本データベースが更新される代償としてその携帯端末機の所有者に課金されるので、オリジナル早見本情報提供装置の経済的な運営が可能となる。
【発明を実施するための最良の形態】
【００１５】
以下、本発明の実施形態を図面に基づいて詳細に説明する。
【００１６】
図１は、本発明の一実施例のオリジナル早見本提供システム（装置）１０の構成を説明する図である。図１において、携帯端末装置として機能する携帯電話機１２と中継局１４を介して通信可能であり、且つゲートウェイ１６を備えた電話局１８と、情報提供サービス会社が運用するサーバ２０と、その情報提供サービスたとえばカラオケ演奏曲の提供を受けるカラオケボックス内のカラオケ用端末装置２２とが、たとえば有線、無線、インターネットなどのたとえば公衆用の通信回線２４を介して、相互接続可能に配置されている。
【００１７】
上記携帯電話機１２は、複数のキー２６から成るキー入力部３４と、たとえば液晶表示板から構成される画像表示装置２８とを備え、携帯電話会社との契約によって通信可能とされるとともに、ＵＩＤ（ユーザ識別番号たとえば電話番号）が付されている。上記複数のキー２６は、通信相手の電話番号を入力するとき、着信報知用音楽（着メロ）をダウンロードさせるとき、カラオケ演奏曲を選択するときなどに用いられ、上記画像表示装置２８には、入力した通信相手の電話番号、着信報知用音楽をダウンロードさせるときの曲名などのデータ、好みのジャンルや歌手などの所定の絞込条件で選択されたカラオケ演奏曲リストから成るオリジナル早見本などが選択的に表示されるようになっている。
【００１８】
上記携帯電話機１２は、詳細にはたとえば図２に示すように同様に構成されている。すなわち、制御部３０は、予めＲＯＭ３２に記憶されたプログラムに従って入力信号を処理し、キー入力部３４から入力された相手の電話番号に従って通信或いは通話チャンネルを成立させるとともに相互の通信或いは通話が可能となるように制御する。通話状態では、アンテナ３６を介して送受信部３８に受けた通話信号をモデム部４０を介して音声コーディック部４２においてデジタルコード信号から音声信号に変換し、アナログフロントエンド４４により音声出力器（スピーカ）４６が駆動されて音声が出力される。同時に、マイクロホン４８により音声から変換された音声信号はアナログフロントエンド４４を介して音声コーディック部４２に送られてそこでデジタル信号に変換され、モデム部４０、送受信部３８、アンテナ３６を介して送信される。また、通信状態において、制御部３０は、キー入力部から入力された信号を通信先へ送信すると同時に、通信先から受信した信号を画像表示装置２８に表示させる。また、制御部３０は、他の携帯電話機１２からの着信を判定した場合には、予め記憶部５０に記憶された着メロデータ５０ｂに基づいて着信メロディーをスピーカ５４から出力させるようにメロディー発生器５２を駆動する。さらに、カラオケ演奏曲を予約するためのデータをカラオケ用端末装置２２へブルートゥースで出力させるためのブルートゥースモジュール５６およびそのアンテナ５８が備えられ、制御部３０は、予め記憶部５０に記憶されたオリジナル早見本５０ａから演奏を希望するカラオケ演奏曲が選択されると、その選択されたカラオケ演奏曲を予約するための選曲情報をカラオケ用端末装置２２へ出力する。
【００１９】
上記情報提供サービス会社のサーバ２０は、所謂コンピュータから成り、たとえば図３に示すように同様に構成されている。すなわち、サーバ２０は、前記通信回線２４に接続されたターミナルアダプタ６２にそれぞれデータバス６３を介して接続されたＣＰＵ６４、ＲＯＭ６５、ＲＡＭ６６、記憶装置６７などを備えており、さらに、ＣＲＴコントローラ６８により画像表示される画像表示装置６９、インターフェース７０を介してデータバス６３に接続されたキーボード７１、最新情報としての最新のカラオケ演奏曲、着メロなどのデータや、それらを選択するための最新情報の早見本データとしての新譜データを入力するためのＣＤ−ＲＯＭドライブ７２、プリンタ７３を備えている。上記記憶装置６７には、提供情報及び演奏曲としてのカラオケ演奏曲（ＭＩＤＩ曲）データベース、提供情報及び演奏曲としての着メロなどのデータベース、総合早見本データベース、会員／検索履歴データベース、ボックスデータベースなどがそれぞれ記憶されている。上記会員／検索履歴データベースでは、たとえば図５に示すように、ある１人の会員に対応した会員番号毎に、その会員のパスワード、氏名、住所、電話番号、メールアドレス、入会年月日、会員有効年月日、絞込キーワード、絞込情報としての新譜用絞込キーワード、累積料金などが記憶されるようになっている。また、上記総合早見本データベースでは、たとえば図４に示すように、ある曲に対応した曲名毎に、その曲のアーティスト名、男女別、ジャンル、年代、カラオケ用選曲番号、携帯カラオケ用選曲番号、着メロ用選曲番号、歌詞表示サービス用選曲番号などが記憶され、曲名、アーティスト名、男女別、ジャンル、年代は、絞込検索のキーワードとして利用される。
【００２０】
上記カラオケ用端末装置２２は、たとえば図６に示すように、データバス７４を介して相互に接続されたＣＰＵ７５、ＲＯＭ７６、ＲＡＭ７７、記憶装置７８、前記通信回線２４に接続されたターミナルアダプタ７９、ＣＲＴコントローラ８０等を備えたマイクロコンピュータから構成されており、カラオケ演奏時には、背景画像再生装置８１により再生された背景画像と上記記憶装置７８に記憶され且つＣＲＴコントローラ８０により再生された歌詞テロップとが映像合成装置（ビデオミキサ）８２により合成されてＣＲＴ画像表示装置８３に表示されるようになっている。また、カラオケ演奏時には、ＭＩＤＩ音源を備えたシンセサイザ８４により記憶装置７８から読み出されたＭＩＤＩデータから変換された演奏信号がアンプ８５により増幅された後で、スピーカ８６からカラオケ演奏音として出力されるようになっている。入力装置として機能するフロント操作パネル８７は、客が歌いたい曲を選択して通信回線２４を介してダウンロードしたり、演奏音の音程を調整したり、演奏と歌との音量バランスを調整したり、その他、エコー、音量、トーンなど各種調整を行うための操作ボタン或いはツマミを備えたパネルであり、その操作情報がＩ／Ｏインターフェース８８を介して入力されるようになっている。また、上記フロント操作パネル８７の機能を遠隔的に実行するために、本カラオケ用端末装置２２には、フロント操作パネル８７と同様に入力装置として機能する前記携帯電話機１２からのブルートゥース信号を受けてＣＰＵ７５へ出力するためのアンテナ８９およびブルートゥースモジュール９０を備えている。上記記憶装置７８には、前記サーバ２０から配信された総合カラオケ演奏曲早見本、カラオケ演奏曲データのデータベース（すなわち曲データベース）およびアルバムデータのデータベース（すなわちアルバムデータベース）などを記憶するハードディスク装置である。上記カラオケ演奏曲データは、演奏データ、歌詞データ、曲名データ、および付属情報からなる。演奏データはＭＩＤＩ（ミュージカル・インストゥルメント・ディジタル・インターフェース）規格に基づいた演奏データが格納されている。また、上記付属情報は、選曲番号、曲名読み、歌手名、歌手名読み、ジャンル、演奏時間、演奏実績、配信日、公表年等の情報で構成される。
【００２１】
図７は、携帯電話機１２の制御部３０、サーバ２０のＣＰＵ６４、カラオケ用端末装置２２のＣＰＵ７５の制御機能の要部をそれぞれ説明する図である。図７において、携帯電話機１２の会員登録モード選択手段１００は、その携帯電話機１２に表示されたたとえば図８に示すトップメニュー画面において会員登録モードが指定操作されることに基づいて、オリジナル早見本情報の提供を受ける会員として予め登録を行うための会員登録モードを選択する。図８では、カーソルＫにより会員登録モードが指定されている状態を示している。会員登録データ送信手段１０２は、会員登録モード選択手段１００によって会員登録モードが選択されると、携帯電話機１２に表示されたたとえば図９に示す会員登録用画面における入力操作により得られた、氏名、住所、電話番号、Ｅメール、パスワードなどの会員登録に必要な登録データをサーバ２０へ送信する。サーバ２０の会員登録データ記憶手段１０４は、上記会員登録データ送信手段１０２により送信された会員登録に必要なデータを受信し、会員番号を付してその会員番号と共に会員／検索履歴データベースに記憶する。会員登録完了送信手段１０６は、会員登録が完了した旨のメッセージを新たに付された会員番号と共に、登録要求元の携帯電話機１２へ送信する。その携帯電話機１２の会員登録完了表示手段１０８は、携帯電話機１２の画像表示装置２８に会員登録が完了した旨のメッセージを新たに付された会員番号と共に表示させる。
【００２２】
携帯電話機１２のオリジナル早見本ＤＢダウンロードモード選択手段１１０は、その携帯電話機１２のトップメニュー画面においてオリジナル早見本ＤＢダウンロードモードが指定操作されることに基づいて、オリジナル早見本ＤＢダウンロードモードを選択する。絞込条件送信手段１１２は、上記オリジナル早見本ＤＢダウンロードモード選択手段１１０によってオリジナル早見本ＤＢダウンロードモードが選択された場合には、それに応答して携帯電話機１２の画像表示装置２８に表示されたたとえば図１０に示す画面の入力項目に従った入力操作により得られた、アーティスト名、曲名、アーティストの男女別、ジャンル、年代などの絞込条件をサーバ２０へ送信する。サーバ２０のデータベース検索手段１１４は、携帯電話機１２の所有者の好みの演奏曲を選択するために用いられるオリジナル早見本を作成するためにその携帯電話機１２から送信された絞込条件を用いて総合カラオケ演奏曲早見本データベースを検索する。オリジナル早見本データ送信手段１１６は、上記データベース検索手段１１４により検索されることにより抽出されたオリジナル早見本データを要求元の携帯電話機１２へ送信する。１曲に対応するオリジナル早見本データは、曲名、アーティスト名、年代、カラオケ用選曲番号などにより構成される。携帯電話機１２のオリジナル早見本受信手段１１８は、上記サーバ２０から送信されたオリジナル早見本データを受信する。オリジナル早見本記憶手段１２０は、そのオリジナル早見本受信手段１１８により受信されたオリジナル早見本データを携帯電話機１２の記憶部５０に記憶させる。サーバ２０の第１課金手段１２２は、上記早見本データ送信手段１１６による上記携帯端末機１２への早見本データの送信に関連して、その携帯端末機１２の所有者に総合カラオケ演奏曲早見本データベースから検索されたオリジナル早見本データの情報利用料金を課金する。この課金は、１回毎、或いは所定期間毎に行われたり、他の累積利用料金に合併して行われる。
【００２３】
携帯電話機１２のオリジナル早見本検索モード選択手段１２４は、その携帯電話機１２のトップメニュー画面においてオリジナル早見本検索モードが指定操作されることに基づいて、オリジナル早見本検索モードを選択する。カラオケ演奏曲検索手段１２６は、上記オリジナル早見本検索モード選択手段１２４によってオリジナル早見本検索モードが選択された場合には、記憶部５０に記憶されたオリジナル早見本からたとえば図１１に示す画面における入力操作により得られた、アーティスト名、曲名、年代などの絞込条件に基づいて検索する。検索結果表示手段１２８は、たとえば図１２の画面に示すように、上記カラオケ演奏曲検索手段１２６により検索された演奏曲の曲名、アーティスト名、カラオケ用選曲情報、携帯カラオケ用選曲情報、着メロ用選曲情報、歌詞表示サービス用選曲情報をオリジナル早見本データに基づいて携帯電話機１２の表示手段としての画像表示器２８に表示させる。この時、検索された曲のオリジナル早見本データに、カラオケ用選曲番号、携帯カラオケ用選曲番号、着メロ用選曲番号、歌詞表示サービス用選曲番号のいずれかが存在しない場合には、その曲については、そのサービスが提供されていないので、検索結果表示手段１２８は、対応する選曲情報を画像表示手段２８に表示しない。例えば、図１２において、上段の曲は、総てのサービスが提供されているので、各選曲情報が表示されているが、下段の曲は、カラオケと着メロのサービスは行われているが、携帯カラオケと歌詞表示のサービスは、行われていないので、それに対応する選曲情報が表示されない。サービス指定手段１３０は、検索結果が表示された図１２の画面における指定入力操作に基づいて、検索結果が示す演奏曲に関連する複数種類のサービス、たとえばカラオケ予約サービス、携帯カラオケサービス、着メロサービス、歌詞表示サービスのうちのいずれかを指定する。サービス実行手段１３２は、そのサービス指定手段１３０により指定されたサービスを実行させる。たとえば、図１２のカーソルＫに示されるようにカラオケ予約サービスが指定された場合には、検索されたカラオケ演奏を予約するための予約情報、例えばカラオケ用選曲番号などをブルートゥースによりカラオケ用端末装置２２へ送信する。したがって、このサービス実行手段１３２は検索されたカラオケ演奏をカラオケ用端末装置２２に予約するための予約信号送信手段を兼ねている。
【００２４】
カラオケ用端末装置２２の予約信号受信手段１３４は、上記携帯電話機１２のサービス実行手段（予約信号送信手段）１３２から送信された予約信号を受信する。予約手段１３６は、上記サービス実行手段（予約信号送信手段）１３２から送信された予約信号、図示しないリモコン装置からの予約信号、或いは操作パネルの操作により入力された予約信号に基づいて、カラオケ演奏曲を予約する。演奏手段１３８は、予約手段１３６により予約されたカラオケ演奏曲を、古い予約分から順次カラオケ用端末装置２２に演奏させる。
【００２５】
たとえば月単位での定期的に、最新情報としての新たなカラオケ演奏曲すなわち新譜情報がサーバ２０に入曲されて演奏可能とされると同時に、その新譜情報の早見本データがサーバ２０の総合カラオケ演奏曲早見本データベースに追加されるようになっている。新譜ダウンロード判定手段１４０は、定期的に或いは入曲毎に、新譜がサーバ２０にダウンロード（入曲）されたか否かを判定する。抽出手段１４２は、その新譜ダウンロード判定手段１４０によって新譜が入曲されたことが判定されると、その新譜から前記オリジナル早見本絞込条件或いは新譜専用に設定された好みの絞込条件に従って抽出する。新譜データ送信手段１４４は、上記抽出手段１４２により抽出された新譜に関する案内データおよび早見本データを、携帯電話機１２へ送信する。第２課金手段１４６は、携帯電話機１２からのダウンロード要求に従って新譜データ送信手段１４４により新カラオケ演奏曲のオリジナル早見本データが携帯電話機１２へ送信された場合には、たとえば図１３に示す画面によりその送信に関連して携帯電話機１２の所有者へ課金を行う。この課金も、１回毎、或いは所定期間毎に行われたり、他の累積利用料金に合併して行われる。
【００２６】
携帯電話機１２においては、上記新譜データ送信手段１４４による新譜の早見本データが配信される状態にあることがたとえば図１３の画面に示すように表示される。配信モード選択手段１４８は、その携帯電話機１２に表示された図１３の画面において新譜早見本データのダウンロードモードが指定操作されることに基づいて、オリジナル早見本データベースに新譜の早見本データを配信するモードを選択する。新譜データ受信手段１５０は、上記配信モード選択手段１４８により新譜配信モードが選択されると、サーバ２０から送信された新譜の早見本データを受信し、オリジナル早見本記憶手段１２０により記憶部５０内のオリジナル早見本ＤＢ５０ａへ追加させる。
【００２７】
オリジナルＤＢ削除モード選択手段１５２は、その携帯電話機１２のトップメニュー画面においてオリジナルデータベースの削除モードが指定操作されることに基づいて、オリジナルデータベース削除モードを選択する。削除検索手段１５４は、上記オリジナルＤＢ削除モード選択手段１５２によりオリジナルデータベース削除モードが選択されると、たとえば図１４の画面に従って入力された削除曲検索条件に従って削除曲を検索する。削除手段１５６は、その削除選択手段１５４によって選択された削除曲の早見本データを、オリジナル早見本記憶手段１２０により記憶部５０内のオリジナル早見本ＤＢ５０ａから削除させる。
【００２８】
図１５乃至図１７は携帯電話機１２の制御作動の要部を説明するためのフローチャートであり、図１８はサーバ２０の制御作動の要部を説明するためのフローチャートであり、図１９はカラオケ用端末装置２２の制御作動の要部を説明するためのフローチャートである。これらフローチャートに示す制御は、比較的短い周期で繰り返し実行される。以下、携帯電話機１２の制御作動を、その途中にサーバ２０およびカラオケ用端末装置２２の制御作動を入れながら説明する。
【００２９】
図１５乃至図１７において、ステップ（以下、ステップを省略する）ＳＡ１では、早見本サービスが選択されたか否かが判断される。このＳＡ１の判断が否定される場合は他の処理が実行されるが、肯定される場合は、ＳＡ２において、トップメニュー画面を表示させるための表示データがサーバ２０に要求され、そのサーバ２０から送信された表示データに基づいて携帯電話機１２の画像表示装置２８にたとえば図８に示すトップメニュー画面が表示される。次いで、前記会員登録モード選択手段１００に対応するＳＡ３において図８のカーソルＫにより「会員登録」の選択操作、すなわち、カーソルＫが「会員登録」を選択している状態で実行キーの操作が行われたか否かが判断される。このＳＡ３の判断が肯定される場合は会員登録作動を行うためのＳＡ４以下が実行されるが、否定される場合は、前記オリジナルＤＢダウンロードモード選択手段１１０に対応するＳＡ９において、カーソルＫ及び実行キーにより図８の画面の「ＤＢのダウンロード」の選択操作が行われたか否かが判断される。このＳＡ９の判断が肯定される場合はオリジナルＤＢダウンロードを行うためのＳＡ１０以下が実行されるが、否定される場合は、前記オリジナルＤＢ検索モード選択手段１２４に対応するＳＡ１７において、カーソルＫ及び実行キーにより図８の画面の「ＤＢの検索」の選択操作が行われたか否かが判断される。このＳＡ１７の判断が肯定される場合は、オリジナルＤＢを用いてカラオケ演奏曲を検索するためのＳＡ１８以下が実行されるが、否定される場合は、前記新譜ＤＢの配信モード選択手段１４８に対応するＳＡ３２において、カーソルＫ及び実行キーにより前記図１３の画面の「ダウンロードする」が選択操作されたか否かが判断される。このＳＡ３２の判断が肯定される場合は、新譜早見本データの追加のためのダウンロードをするためのＳＡ３３以下が実行されるが、否定される場合は、前記オリジナルＤＢ削除モード選択手段１５２に対応するＳＡ３７において、カーソルＫ及び実行キーにより図８の「ＤＢの削除」の選択操作が行われたか否かが判断される。このＳＡ３７の判断が肯定される場合は、オリジナルＤＢの一部或いは全部を削除するためのＳＡ３８以下が実行されるが、否定される場合は、ＳＡ４５において、図８の「取消」の操作が行われたか否かが判断される。このＳＡ４５の判断が否定される場合は前記ＳＡ３以下が繰り返し実行されるが、肯定される場合は前記ＳＡ１以下が繰り返し実行される。
【００３０】
上記ＳＡ３の判断が肯定される場合は、ＳＡ４において会員登録のための図９の画面を画像表示装置２８に表示させるための表示データがサーバ２０に要求され、そのサーバ２０から送られてきた表示データに基づいて図９の会員登録メニュー画面が表示される。次いで、ＳＡ５において登録のための送信操作が行われたか否かが判断される。「取消し」が選択操作されてこのＳＡ５の判断が否定される場合は、ＳＡ６において図８のトップメニュー画面が表示された後にＳＡ３以下が再び実行されるが、「送信」が選択操作されて肯定される場合は、前記登録データ送信手段１０２に対応するＳＡ７において、図９に示す会員登録用画面の入力項目に従う入力操作により得られた、氏名、住所、電話番号、Ｅメール、パスワードなどの会員登録に必要な登録データがサーバ２０へ送信される。
【００３１】
このときのサーバ２０では、図１８に示すＳＢ１において会員登録であると判断されているので、前記会員登録データ記憶手段１０４に対応するＳＢ２において、上記送信された登録データが受信され、会員／検索履歴データベースに記憶されるとともに、前記会員登録完了送信手段１０６に対応するＳＢ３において、会員登録を完了した旨のメッセージ、会員番号を画像表示装置２８に表示するための表示データが携帯電話機１２へ送信される。このため、携帯電話機１２では、図１５に示すように、前記会員登録完了表示手段１０８に対応するＳＡ８において、サーバ２０から送信されたデータに基づいて、会員番号と登録完了した旨のメッセージとが画像表示装置２８に表示される。
【００３２】
前記ＳＡ９の判断が肯定される場合は、ＳＡ１０において、パスワード確認のための表示データ、および照合用パスワードデータがサーバ２０に要求され、サーバ２０から送られてきた表示データに基づいて確認画面が画像表示装置２８に表示される。次いで、ＳＡ１１においてパスワードが正しいか否かが判断される。このＳＡ１１の判断が否定される場合はＳＡ１２においてエラー表示が行われ、ＳＡ６においてトップメニューが表示された後、前記ＳＡ３以下が繰り返し実行される。しかし、上記ＳＡ１１の判断が肯定される場合は、ＳＡ１３において、オリジナル早見本ＤＢの絞込条件（キーワード）を入力するための表示画面を表示する表示データがサーバ２０に要求され、そのサーバ２０から送信されてきた表示データに基づいて図１０の画面が画像表示装置２８に表示される。次いで、ＳＡ１４において、絞込データ入力が完了したか否かがたとえば「送信」が選択操作されたか否かに基づいて判断される。このＳＡ１４の判断が否定される場合は待機させられるが、肯定された場合は、前記絞込条件送信手段１１２に対応するＳＡ１５において、図１０の画面の各項目に従って入力された好みのジャンルやアーティストなどの絞込条件が会員番号とともにサーバ２０へ送信される。
【００３３】
この状態におけるサーバ２０では、図１８に示すＳＢ４の判断が肯定されているので、前記データベース検索手段１１４に対応するＳＢ５において、携帯電話機１２から送信された絞込条件で総合カラオケ演奏曲早見本データベースが検索され、前記オリジナル早見本データ送信手段１１６に対応するＳＢ６において、検索によりヒットした曲のオリジナル早見本ＤＢデータが要求元の携帯電話機１２へ送信される。この時のオリジナル早見本ＤＢデータは、１つの曲に対応して、曲名、アーティスト名、年代、カラオケ用選曲番号、携帯カラオケ用選曲番号、着メロ用選曲番号、歌詞表示サービス用選曲番号などにより構成される。そして、前記第１課金手段１２２に対応するＳＢ７では、会員／検索履歴データベースにおいて、当該会員の累積利用料金記憶領域に今回の利用料金が加算され、当該会員の絞込キーワードエリアに今回の絞込条件が上書される。一方、携帯電話機１２では、図１５の前記オリジナル早見本受信手段１１８に対応するＳＡ１６において、サーバ２０から送信された上記オリジナル早見本ＤＢデータが受信され、ＳＡ１６において、サーバ２０から送信されてきたオリジナル早見本ＤＢデータが携帯電話機１２の、前記オリジナル早見本記憶手段１２０に対応する記憶部５０に記憶される。
【００３４】
前記オリジナル早見本ＤＢ検索モード選択手段１２４に対応するＳＡ１７の判断が肯定される場合は、ＳＡ１８において記憶部５０に記憶されたオリジナル早見本ＤＢ５０ａを用いてカラオケ演奏曲を検索するために絞込条件を入力する画面を表示させる表示データが携帯電話機１２からサーバ２０へ供給され、そのサーバ２０から送信されてきた表示データに基づいて図１１のオリジナル早見本ＤＢの検索画面が表示される。次いで、ＳＡ１９において検索であるか否かが画面内の「実行」が選択操作されたか否かに基づいて判断される。このＳＡ１９の判断が否定されるうちは前記ＳＡ６以下が繰り返し実行されるが、肯定される場合は、ＳＡ２０においてオリジナル早見本ＤＢ５０ａ内のすべて（all ）が選択されたか否かがカーソルＫの位置に基づいて判断される。このＳＡ２０の判断が否定される場合は、前記カラオケ演奏曲検索手段１２６および検索結果表示手段１２８に対応するＳＡ２１において、上記検索画面において入力された絞込条件によりオリジナル早見本ＤＢ５０ａ内が検索され、ヒットした曲の曲名などが図１２の画面に示すように画像表示装置２８に表示される。しかし、上記ＳＡ２０の判断が肯定される場合は、前記カラオケ演奏曲検索手段１２６および検索結果表示手段１２８に対応するＳＡ２２において、オリジナル早見本ＤＢ５０ａ内のすべての曲の曲名などが画像表示装置２８に表示される。尚、図１２は、検索結果として２曲のみを示しているが、画像表示装置２８の画面をスクロールすることにより該当する曲の曲名を総て表示することができる。
【００３５】
上記図１２の検索結果表示画面は、検索した曲に関連するサービスメニュー表示画面を兼ねており、前記サービス指定手段１３０に対応するＳＡ２３乃至ＳＡ２６が実行される。ＳＡ２３ではカラオケ演奏（予約）サービスが選択されたか否かが判断される。このＳＡ２３の判断が否定される場合は、ＳＡ２４において携帯カラオケサービスが選択されたか否かが判断される。このＳＡ２４の判断が否定される場合は、ＳＡ２５において歌詞表示サービスが選択されたか否かが判断される。このＳＡ２５の判断が否定される場合は、ＳＡ２６において着メロサービスが選択されたか否かが判断される。このＳＡ２６の判断が否定される場合は、ＳＡ２７において終了であるか否かが上記画面内の「取消」が選択操作されたか否かに基づいて判断される。このＳＡ２７の判断が否定される場合は上記ＳＡ２３以下が繰り返し実行されるが、肯定される場合は前記ＳＡ６以下が繰り返し実行される。
【００３６】
上記ＳＡ２３乃至ＳＡ２６のいずれかの判断が肯定される場合は、それに対応するサービスを実行するためのサービス実行手段に対応するＳＡ２８乃至ＳＡ３１のいずれかが実行される。先ず、ＳＡ２３の判断が肯定される場合は、前記サービス実行手段（予約信号送信手段）１３２に対応するＳＡ２８において、上記オリジナル早見本ＤＢから検索されたカラオケ演奏曲を予約するための予約情報としてのカラオケ用選曲番号及び携帯電話機１２の個人ＩＤがブルートゥースによりカラオケ用端末装置２２へ送信される。
【００３７】
図１９に示すカラオケ用端末装置２２の曲予約ルーチンでは、前記予約信号受信手段１３４に対応するＳＣ１において、上記予約信号の受信の有無に基づいてカラオケ演奏曲の予約か否かが判断される。このＳＣ１の判断が否定される場合は、ＳＣ２において演奏終了か否かが判断される。このＳＣ２の判断が否定される場合は本ルーチンが終了させられるが、肯定される場合は、ＳＣ３において予約曲が既に設定されているか否かが判断される。このＳＣ３の判断が否定される場合は本ルーチンが終了させられるが、肯定される場合は、前記演奏手段１３８に対応するＳＣ４において、予約順位の１位（最先の予約）の選曲番号および個人ＩＤがＲＡＭ７７から読み出され、その選曲番号に対応する演奏データが記憶装置７８から読み出されて演奏の準備が行われ、また個人ＩＤに基づいてブルートゥースを介して予約曲の演奏開始を示す表示信号が予約元の携帯電話機１２へ送信される。そして、ＳＣ５では演奏が開始されると共に、ＲＡＭ７７に記憶された予約順位が繰り上げられるようになっている。しかし、上記のようにオリジナル早見本から検索されたカラオケ演奏曲を予約するための予約情報が携帯電話機１２からブルートゥースによりカラオケ用端末装置２２へ送信された場合は、上記ＳＣ１の判断が肯定されるので、前記予約手段１３６に対応するＳＣ６において、予約曲のカラオケ用選曲番号および携帯電話機１２の個人ＩＤがＲＡＭ７７に記憶された後、ＳＣ７において、カラオケ用端末装置２２における演奏中であるか否かが判断される。このＳＣ７の判断が肯定される場合は本ルーチンが終了され且つＳＣ１以下が繰り返し実行されることにより待機させられるが、否定される場合は、上記ＳＣ４以下が実行される。
【００３８】
図１６に戻って、ＳＡ２４の判断が肯定される場合は、ＳＡ２９において、携帯カラオケ用選曲番号がサーバ２０へ送信され、サーバ２０から送信されてきたカラオケ演奏曲データが記憶部５０に記憶されると共に、そのカラオケ演奏曲データに基づいて、カラオケ演奏曲が携帯電話機１２のスピーカ５４から出力されると同時に、歌詞が画像表示装置２８において表示される。また、ＳＡ２５の判断が肯定される場合は、ＳＡ３０において、歌詞表示サービス用選曲番号がサーバ２０へ送信され、サーバ２０から送信されてきた歌詞表示用データが記憶部５０に記憶されると共に、その歌詞表示用データに基づいて、歌詞が画像表示装置２８において表示される。また、ＳＡ２６の判断が肯定される場合は、ＳＡ３１において、着メロ用選曲番号がサーバ２０へ送信され、サーバ２０から送信されてきた着メロ用データが記憶部５０の着メロデータエリア５０ｂに記憶される。
【００３９】
ところで、サーバ２０では、図１８のＳＢ１２において、メニュー画面、会員登録画面などを表示させるための表示データの要求が携帯電話機１２からあると判断されると、ＳＢ１３において要求のあった表示データが携帯電話機１２へ送信される。また、ＳＢ１４において一定の設定期間の経過、たとえば月末に到達したことが判断されると、ＳＢ１５において、会員／検索履歴データベースにおいて、各会員の累積利用料金記憶領域にて記憶されている利用料金が読み出され、各会員に今月の利用料金として請求されるとともに、累積利用料金記憶領域がクリアされる。次いで、ＳＢ１６において、総合早見本データベースに新譜に関連する早見本データが追加されたか否かが判断される。
【００４０】
サーバ２０においては、新たなカラオケ演奏曲は、ＣＤ−ＲＯＭ７２からカラオケ演奏データ（ＭＩＤＩデータ）の形式でサーバ２０の記憶装置６７に定期的（例えば毎週ごと）、或いは不定期に記憶されることによって提供可能とされるとともに、その早見本データがＣＤ−ＲＯＭ７２やキーボード７１から総合早見本用データベースに追加されるようになっている。これは、着メロなどデータベースでも同様である。従って、通常は、このＳＢ１６の判断が肯定判断となるので、ＳＢ１７において、会員／検索履歴データベースにおいて、各会員の絞込条件記憶領域内に記憶された最も最近の絞込キーワード（絞込キーワードは検索の毎に上書きされるので、最も最近のキーワードが記憶されている。）が読み出されて、新譜用絞込条件記憶領域内に記憶し直されるとともに、その絞込条件に基づいて総合早見本データベースが検索され、各会員の新譜早見本データが抽出される。そして、ＳＢ１８では、上記絞込条件に基づく検索によって新譜早見本データがヒットされた場合には、その新譜早見本データを案内するための表示データが作成され、当該各会員の携帯電話機１２に送信される。
【００４１】
携帯電話機１２では、サーバ２０から上記ＳＢ１８によって抽出された新譜オリジナル早見本データの案内データが各会員の携帯電話機１２へ送信されるので、前記新譜ＤＢの送信モード選択手段１４８に対応するＳＡ３２の判断が肯定されるので、ＳＡ３３において、送信されてきた新譜早見本データの案内情報がたとえば図１３に示すように携帯電話機１２の画像表示装置２８に表示される。次いで、ＳＡ３４では、新譜早見本データをダウンロードするための操作が行われたか否かが図１３の「ダウンロードする（有料）」がカーソルＫ及び実行キーにより選択されたか否かに基づいて判断される。このＳＡ３４の判断が否定される場合は、ＳＡ３５において、新譜早見本データダウンロードの終了か否かが図１３の「取消し」が選択操作されたか否かに基づいて判断される。このＳＡ３５の判断が否定される場合は上記ＳＡ３４以下が繰り返し実行されるが、肯定される場合は前記ＳＡ６以下が再び実行される。上記ＳＡ３４の判断が肯定されると、前記新譜データ受信手段１５０に対応するＳＡ３６において、新譜早見本データのダウンロードがサーバ２０に要求される。
【００４２】
サーバ２０では、図１８において、前記新譜ダウンロード判定手段１４０に対応するＳＢ８において、携帯電話機１２からの新譜ダウンロード要求に基づいて新譜のダウンロード曲が判断されると、前記抽出手段１４２に対応するＳＢ９において、会員／検索履歴データベースにおいて、上記新譜が追加された総合早見本用データベースから、当該会員の新譜用絞込キーワードエリアに予め記憶された新譜用絞込条件（キーワード）に基づいて当該会員の好みの条件を満たすものが検索され、当該会員の新譜オリジナル早見本データが抽出される。次いで、前記新譜データ送信手段１４４に対応するＳＢ１０において、上記抽出された新譜オリジナル早見本データが要求元の携帯電話機１２へ送信された後、前記第２課金手段１４６に対応するＳＢ１１において、携帯電話機１２からの新譜ダウンロード要求に従って新カラオケ演奏曲のオリジナル早見本データが携帯電話機１２へ送信された場合には、その送信に関連して、新譜早見本データの利用料金が当該会員の累積利用料金記憶領域に加算されることにより携帯電話機１２の所有者へ課金が行われる。この課金も、１回毎、或いは所定期間毎に行われたり、他の累積利用料金に合併して行われる。
【００４３】
携帯電話機１２では、図１６のＳＡ３６において、サーバ２０から送信された新譜早見本データが受信されて記憶部５０に記憶され、それまで記憶部５０に記憶されていたオリジナル早見本ＤＢに追加される。これにより、携帯電話機１２に記憶されていたオリジナル早見本ＤＢが更新される。
【００４４】
携帯電話機１２において、前記オリジナルＤＢ削除モード選択手段１５２に対応するＳＡ３７において、図８の「ＤＢの削除」の選択操作が行われたと判断される場合は、オリジナル早見本ＤＢの一部或いは全部を削除するためのＳＡ３８以下が実行される。すなわち、ＳＡ３８においては、オリジナル早見本ＤＢの一部或いは全部を削除させるための表示画面を表示させる表示データがサーバ２０へ要求され、そのサーバ２０から送信されてきた表示データに基づいてオリジナル早見本ＤＢの一部或いは全部を削除させるための画面がたとえば図１４に示すように表示される。次いで、ＳＡ３９において削除であるか否かが画面内の「実行」が選択操作されたか否かに基づいて判断される。このＳＡ３９の判断が否定されるうちは前記ＳＡ６以下が繰り返し実行されるが、肯定される場合は、ＳＡ４０においてオリジナル早見本ＤＢ内のすべて（all ）が選択されたか否かがカーソルＫの位置及び実行キーの操作に基づいて判断される。このＳＡ４０の判断が否定される場合は、前記削除検索手段１５４に対応するＳＡ４１において、上記削除画面において入力された絞込条件によりオリジナル早見本ＤＢ内が検索され、ヒットした曲の曲名などが図１４の画面に示すように画像表示装置２８に表示される。しかし、上記ＳＡ４０の判断が肯定される場合は、前記削除検索手段１５４に対応するＳＡ４２において、オリジナル早見本ＤＢ内のすべての曲の曲名などが画像表示装置２８に表示される。
【００４５】
続いて、ＳＡ４３では、削除であるか否かが上記図１４の「実行」が選択操作されたか否かに基づいて判断される。このＳＡ４３の判断が否定される場合は、前記ＳＡ６以下が再び実行されるが、肯定される場合は、前記削除手段１５６に対応するＳＡ４４において、記憶部５０に記憶されたオリジナル早見本データベースのうちの一部或いは全部が削除される。
【００４６】
上述のように、本実施例によれば、サーバ２０へ送信された絞込条件に基づいてそのサーバ２０で総合早見本データベースから選択された早見本データが携帯電話機１２のオリジナル早見本受信手段１１８により受信され、その受信された早見本データに基づいて作成されたオリジナル早見本データベースが記憶部５０に記憶されることから、演奏曲を選択するために携帯電話機１２において検索条件が入力されると、それに記憶されたオリジナル早見本からその検索条件に対応する演奏曲が検索されるので、所定の携帯電話機１２の所有者は、そのオリジナル早見本を用いて、所望の演奏曲を簡単且つ速やかに検索できるようになる。
【００４７】
また、本実施例によれば、上記検索された演奏曲に関連する複数種類のサービスを選択させるために複数種類のサービスを表示する画面（図１２）を携帯電話機１２の画像表示器２８に表示させる検索結果表示手段（サービスメニュー画面表示手段）１２８が、備えられることから、検索されたカラオケ演奏曲に関連する複数種類のサービス、たとえばカラオケ用端末装置２２から出力させるカラオケ演奏サービス、携帯端末機から出力させる携帯カラオケサービス、歌詞を表示させるための歌詞表示サービス、着メロのダウンロードサービスなどが行われる。
【００４８】
また、本実施例によれば、総合早見本データベースに新たに入曲した新譜から予め送信された絞込条件に基づいて抽出された新譜の早見本データを前記サーバから受信する新譜データ受信手段１５０を備えたものであり、オリジナル早見本記憶手段１２０は、その新譜データ受信手段１５０により受信された新譜の早見本データを、既に記憶されているオリジナル早見本データベースに追加するものであることから、新たに入曲した新譜のカラオケ演奏曲についても、前記絞込条件を備えたものであればオリジナル早見本データベースに追加されるので、最新の演奏曲を選択することができる。
【００４９】
また、本実施例によれば、携帯電話機１２は、演奏曲検索手段１２６により検索された所定の演奏曲の演奏を予約するための予約情報を、演奏装置へ直接若しくは間接的に送信する予約信号送信手段１３２を備えたものであるので、演奏装置すなわち演奏用端末装置２２に対してリモコンを用いると同様に演奏の予約をすることができる。
【００５０】
また、本実施例のオリジナル早見本情報提供装置１０によれば、早見本データ送信手段１１６により、携帯電話機１２からの絞込条件に基づいて総合早見本データベースから選択され、選択されたオリジナル早見本データベースを作成するためのデータがその携帯電話機１２へ送信されることから、携帯電話機１２では、その携帯電話機１２固有のオリジナル早見本が作成されるので、その所定の携帯電話機１２の所有者は、固有のオリジナル演奏曲早見本を用いて、所望の演奏曲を簡単且つ速やかに検索できるようになる。
【００５１】
また、本実施例によれば、前記早見本データ送信手段１１６による携帯電話機１２への早見本データの送信に関連してその携帯電話機１２の所有者に利用料金を課金する第１課金手段１２２が設けられることから、携帯電話機１２において、使い勝手のよいオリジナル早見本データベースが作成される代償としてその携帯電話機１２の所有者に課金されるので、オリジナル早見本情報提供装置１０の経済的な運営が可能となる。
【００５２】
また、本実施例によれば、総合早見本データベースに新たに登録された新演奏曲のうちから携帯電話機１２毎に予め設定されている絞込条件を備えている新演奏曲の早見本データを抽出する抽出手段１４２と、その抽出手段１４２により抽出された新演奏曲の早見本データを前記携帯端末機へ送信する新譜データ送信手段１４４とを、さらに備えたものであることから、総合早見本データベースに新たに登録された新演奏曲のうちから上記絞込条件を備えている新演奏曲の早見本データが、携帯電話機１２へ送信されるので、携帯電話機１２のオリジナル早見本においても最新入曲の演奏曲を選択可能となる。
【００５３】
また、本実施例によれば、新譜データ送信手段１４４により、新演奏曲の早見本データが携帯電話機１２へ送信された場合には、その送信に関連してその携帯電話機１２の所有者へ課金を行う第２課金手段１４６が、さらに設けられることから、新演奏曲の早見本データが携帯電話機１２へ送信されて、オリジナル早見本データベースが更新される代償としてその携帯電話機１２の所有者に課金されるので、オリジナル早見本情報提供装置１０の経済的な運営が可能となる。
【００５４】
以上、本発明の一実施例を図面に基づいて説明したが、本発明はその他の態様においても適用される。
【００５５】
たとえば、前述の実施例では、オリジナル早見本データベースが携帯電話機１２の記憶部５０にダウンロードされるように構成されていたが、サーバ２０の記憶装置６７において各携帯電話機１２毎のオリジナル早見本データベースが記憶されて、携帯電話機１２から要求される毎にそれに対応するオリジナル早見本データベースがそれに送信されるように構成されてもよい。また、サーバ２０の記憶装置６７において、総合早見本データベースと、それからオリジナル早見本データベースを抽出するための携帯電話機１２毎の絞込条件とが記憶され、携帯電話機１２から要求がある毎に、その携帯電話機１２毎の絞込条件に基づいて総合早見本データベースからオリジナル早見本データベースが抽出されてその携帯電話機１２へ送信されるようにしてもよい。この場合、携帯電話機１２へ送信されたオリジナル早見本データベースは、記憶部５０に記憶されて利用され、サービスの終了とともに記憶部５０から消去される。従って、記憶部５０の記憶容量が少なくてもよい。
【００５６】
上記前者の場合には、前記データベース検索手段１１４は、多数の演奏曲が予め記憶された総合早見本データベースから所定の携帯電話機１２から要求された絞込条件と予め設定された携帯電話機１２の固有ＩＤとに基づいてオリジナル早見本を作成するオリジナル早見本作成手段として機能し、そのオリジナル早見本はサーバ２０の記憶装置６７内に予め記憶され、前記オリジナル早見本データ送信手段１１６は、携帯電話機１２からの要求に応答して、上記データベース検索手段（オリジナル早見本作成手段）１１４により作成されたオリジナル早見本を要求元の携帯電話機１２に表示させるためにその携帯電話機１２へ送信する。これにより、データベース検索手段（オリジナル早見本作成手段）１１４により作成されたオリジナル早見本が要求元の携帯電話機１２の記憶部５０に記憶され、画像表示装置２８において表示させるために送信されるので、その所定の携帯電話機１２の所有者は、固有のオリジナル演奏曲早見本を用いて、所望の演奏曲を簡単且つ速やかに検索できるようになる。
【００５７】
また、上記後者の場合には、前記データベース検索手段１１４は、携帯電話機１２からの要求に応答して、多数の演奏曲が予め記憶された総合早見本データベースから所定の携帯電話機１２から要求された絞込条件と予め設定された携帯電話機１２の固有ＩＤとに基づいてオリジナル早見本を作成するオリジナル早見本作成手段として機能し、そのオリジナル早見本は前記オリジナル早見本データ送信手段１１６により要求元の携帯電話機１２に表示させるためにその携帯電話機１２へ送信される。これにより、データベース検索手段（オリジナル早見本作成手段）１１４により作成されたオリジナル早見本が要求元の携帯電話機１２に表示させるために送信されるので、その所定の携帯電話機１２の所有者は、固有のオリジナルカラオケ演奏曲早見本を用いて、所望の演奏曲を簡単且つ速やかに検索できるようになる。
【００５８】
上記の例において、データベース検索手段（オリジナル早見本作成手段）１１４は、所定の周期で、前記総合早見本データベースに新たに追加された新演奏曲のうちから前記絞込条件を備えている新演奏曲の早見本データを追加してオリジナル早見本を更新するものであり、前記オリジナル早見本データ送信手段１１６は、そのデータベース検索手段（オリジナル早見本作成手段）１１４により更新されたオリジナル早見本を前記携帯端末機１２へ送信するものである。このようにすれば、上記データベース検索手段（オリジナル早見本作成手段）１１４により、総合早見本データベースに新たに登録された新カラオケ演奏曲のうちから前記絞込条件を備えている新カラオケ演奏曲の早見本データを追加してオリジナル早見本が更新されるので、携帯端末機のオリジナル早見本においても最新入曲の演奏曲を選択可能となる。
【００５９】
また、前述の実施例では、携帯電話機１２に表示されるたとえば図８乃至図１４の画面を表示させるための表示データは、サーバ２０からその都度供給されていたが、携帯電話機１２の記憶部５０に予め記憶されていてもよい。
【００６０】
また、前述の実施例では、提供情報としてカラオケ演奏曲などであったが、本発明は、そのような曲情報に限定されることはなく、例えば、ゲームソフト、通信販売情報などであってもよく、オリジナル早見本データベースとしては、それらゲームソフト、通信販売情報などを検索するための早見本データが相当する。
【００６１】
更に、前述の実施例においては、抽出手段１４２に対応するＳＢ９において、新譜が追加された総合早見本用データベースから最も最近の１個の新譜用絞込条件に基づいて当該会員の好みの条件を満たす新譜オリジナル早見本データを抽出するようにしたが、会員／検索履歴データベースの絞り込みキーワードエリア（新譜用絞り込みキーワードエリア）に例えば、最新、前回、前々回の絞り込みキーワードを記憶しておき、そしてＳＢ９においては、その３つ（複数）の絞り込みキーワードに基づいたオワー（ＯＲ）検索でオリジナル早見本データを抽出するようにしてもよい。
【００６２】
その他、本発明はその主旨を逸脱しない範囲において種々変更が加えられ得るものである。
【図面の簡単な説明】
【００６３】
【図１】本発明が適用されたオリジナル早見本情報提供システムの構成を説明するブロック線図である。
【図２】図１の携帯電話機の電気的構成を説明する図である。
【図３】図１のサーバの電気的構成を説明する図である。
【図４】図１のサーバに記憶される総合早見本用データベースの構成を説明する図である。
【図５】図１のサーバに記憶される会員／検索履歴データベースの構成を説明する図である。
【図６】図１のカラオケ用端末装置の電気的構成を説明する図である。
【図７】図１のオリジナル早見本情報提供システムの制御機能を説明する機能ブロック線図である。
【図８】図１の携帯電話機の画像表示装置に表示されるトップメニュー画面を説明する図である。
【図９】図１の携帯電話機の画像表示装置に表示される会員登録画面を説明する図である。
【図１０】図１の携帯電話機の画像表示装置に表示されるオリジナル早見本データベースダウンロード画面を説明する図である。
【図１１】図１の携帯電話機の画像表示装置に表示される、オリジナル早見本データベースからのカラオケ演奏曲検索画面を説明する図である。
【図１２】図１の携帯電話機の画像表示装置に表示される、オリジナル早見本データベースを用いた検索回答画面を説明する図である。
【図１３】図１の携帯電話機の画像表示装置に表示される、新譜データベース案内画面を説明する図である。
【図１４】図１の携帯電話機の画像表示装置に表示される、オリジナル早見本データベースの一部或いは全部削除画面を説明する図である。
【図１５】図１の携帯電話機の制御作動を図１６および図１７と共に説明するフローチャートである。
【図１６】図１の携帯電話機の制御作動を図１５および図１７と共に説明するフローチャートである。
【図１７】図１の携帯電話機の制御作動を図１５および図１６と共に説明するフローチャートである。
【図１８】図１のサーバの制御作動を説明するフローチャートである。
【図１９】図１のカラオケ用端末装置の制御作動を説明するフローチャートである。
【符号の説明】
【００６４】
１０：オリジナル早見本情報提供装置
１２：携帯電話機（携帯端末機）
２０：サーバ
２２：カラオケ用端末装置
５０：記憶部
１１２：絞込条件送信手段
１１４：データベース検索手段（オリジナル早見本作成手段）
１１６：オリジナル早見本データ送信手段（早見本データ送信手段、オリジナル早見本送信手段）
１１８：オリジナル早見本受信手段（早見本データ受信手段）
１２０：オリジナル早見本記憶手段（オリジナル早見本データベース記憶手段）
１２２：第１課金手段
１２６：カラオケ演奏曲検索手段（検索手段）
１２８：検索結果表示手段（サービスメニュー画面表示手段）
１３２：サービス実行手段（予約送信手段）
１４２：抽出手段
１４４：新譜データ送信手段（最新情報データ送信手段）
１４６：第２課金手段
１５０：新譜データ受信手段（最新情報早見本データ受信手段）
【図１】
2008178093.tif 000003
【図２】
2008178093.tif 000004
【図３】
2008178093.tif 000005
【図４】
2008178093.tif 000006
【図５】
2008178093.tif 000007
【図６】
2008178093.tif 000008
【図７】
2008178093.tif 000009
【図８】
2008178093.tif 000010
【図９】
2008178093.tif 000011
【図１０】
2008178093.tif 000012
【図１１】
2008178093.tif 000013
【図１２】
2008178093.tif 000014
【図１３】
2008178093.tif 000015
【図１４】
2008178093.tif 000016
【図１５】
2008178093.tif 000017
【図１６】
2008178093.tif 000018
【図１７】
2008178093.tif 000019
【図１８】
2008178093.tif 000020
【図１９】
2008178093.tif 000021